(57)【要約】【課題】回転アンテナ上に配置した磁石が下ヒータ動作時に高温にさらされ、特に停止した位置が下ヒータに近い磁石の場合、非可逆の減磁を起こし、プレートとの磁気結合を低下させ、プレートの回転不良を引き起こすことを解決するものである。【解決手段】下ヒータ１３動作時に回転アンテナ５を回転させ、回転アンテナ５に載置された第１の磁石８の局部的な加熱を防止する。また、ヒータ加熱停止後も、タイマーによる所定時間計時まで、もしくは温度検知手段による所定温度以下を検知するまで回転アンテナ５を回転させることで、同様に磁石８の局部的な加熱を防止する。【選択図】　　　図２
2004071229.tif 000002
【特許請求の範囲】
【請求項１】
加熱室と、高周波発生装置と、前記高周波発生装置が発生する高周波の電磁波を導く導波管と、前記導波管内の高周波の電磁波を前記加熱室内に導く受信部と受信した高周波の電磁波を前記加熱室内に放射する放射部で構成される回転アンテナと、前記アンテナを回転させるためのモータと、前記回転アンテナ近傍直上に設けられた載置台と、該載置台に載置されるプレートと、前記プレートに設けられた複数の磁石と、前記回転アンテナの放射部に設けられた複数の磁石と、前記回転アンテナの外周近傍に配置された下ヒータと、前記モータと前記下ヒータの動作を制御する制御手段とから成り、前記プレートと前記回転アンテナに配置された磁石の磁気結合により前記回転アンテナの回転に応じて前記プレートが回転する高周波加熱装置に於いて、
前記下ヒータの加熱時には前記回転アンテナを回転させることを特徴とする高周波加熱装置。
【請求項２】
前記下ヒータの加熱停止後、所定の条件下で前記回転アンテナを回転させることを特徴とする請求項１に記載の高周波加熱装置。
【請求項３】
前記所定の条件が、前記下ヒータ加熱停止後の時間を計時するタイマーを設け、前記下ヒータの加熱停止後前記タイマーが所定時間計時するまでとする請求項２に記載の高周波加熱装置。
【請求項４】
前記所定の条件が、前記加熱室の温度を検出する温度検出手段を設け、前記下ヒータ加熱停止後前記温度検出手段で検出された温度が所定温度に下がるまでとする請求項２に記載の高周波加熱装置。
【請求項５】
前記加熱室の扉の開閉状態を検出する手段を設け、前記下ヒータ加熱停止後前記扉の開状態を検出した時は、前記回転アンテナの回転動作を停止することを特徴とする請求項１〜４のいずれかに記載の高周波加熱装置。
【請求項６】
前記プレートを使用しない場合は、前記下ヒータ加熱停止後前記扉が開状態でも、前記回転アンテナの回転動作を停止しないことを特徴とする請求項１〜５のいずれかに記載の高周波加熱装置。
【発明の詳細な説明】
【０００１】
【発明の属する技術分野】
本発明は、電子レンジ等の高周波加熱装置に関するものである。
【０００２】
【従来の技術】
電子レンジでは、被加熱物を均一に加熱するためにターンテーブル方式や、スタラー方式、回転アンテナ方式等が採用されている。
【０００３】
ターンテーブル方式は加熱室底面で回転駆動されるターンテーブルに被加熱物を載置した状態で、加熱室側壁面若しくは天井面に設けた開口より高周波の電磁波を放射することにより、電界の中を被加熱物が回転移動することで全体を均一に加熱する方式であり、現在の電子レンジの最もポピュラーな方式とされている。
【０００４】
図１２、図１３に従来のターンテーブル方式を採用した電子レンジの正面から見た縦断面図、外観斜視図を示す。ターンテーブル１１１の駆動機構は、ターンテーブル１１１を回転保持するターンテーブルプレート１０９と、加熱室底面外部に設けられ駆動軸１６１を介してターンテーブルプレート１０９に連結されたモータ１０６から構成され、駆動軸１６１は加熱室１０２の底面に形成された小径の穴（図示せず）を貫通している。加熱室１０２の側壁面には開口１４１が設けられており、この開口１４１より高周波の電磁波が加熱室内部に放射され、ターンテーブル１１１上の被加熱物を均一に加熱する。
【０００５】
他の例としては特公昭６１―１３３５９号公報に記載されているような加熱室内に施される回転自在な載置台と加熱室底面外部の回転体とを磁気結合して載置台を回転させる方式や、特開昭５９ー１４２９４号公報に開示されている加熱室底面の開口より放射される高周波の電磁波に対して加熱室底面で回転載置台を磁気力により回転させる方式もある。
【０００６】
図１４、図１５に従来のスタラー方式を採用した電子レンジの正面から見た縦断面図、外観斜視図を示す。スタラー方式は一般に高周波発生装置２０３で発生した高周波の電磁波をその加熱室側の開口２４１近傍で加熱室天井面に設けた金属性の電磁波拡散羽根２２１を回転運動させて加熱室全体における電磁波の強弱を変化させることで、載置台２２２上の被加熱物を均一に加熱する方式である。但し加熱の均一性で上述のターンテーブル方式に比べ劣る点が多い。
【０００７】
図１６に従来のアンテナ給電方式を採用した電子レンジの側面から見た縦断面図を示す。アンテナ給電方式は特開平１１−８０５７号公報で代表されるように、高周波発生装置３０３で発生し、導波管３０４により導かれた高周波の電磁波を、加熱室底部に設けた小径の穴を貫通した受信アンテナ部３５１と放射アンテナ部３５２で構成される回転アンテナ３０５より加熱室内底部から高周波の電磁波を放射する方式で、高周波放射部が回転することで均一に加熱する方式である。被加熱物は、加熱室を分離する形で回転アンテナ３０５近傍直上に設置された略四角形の誘電体（通常はガラス、セラミック等）で構成される載置台３０７に保持される。
【０００８】
この方式は高周波の電磁波を放射する回転アンテナ近傍に被加熱物を載置することが可能であり加熱効率の点では他の方式に比べて優ることが多く、業務用としてはポピュラーな方式である。
【０００９】
一方、加熱室内のエリアの有効利用という点から評価すると、ターンテーブル方式は被加熱物を回転させ加熱する為、略円形のターンテーブル上のみしか被加熱物を載置できないが、スタラー方式やアンテナ給電方式は被加熱物を静止状態で加熱する為、加熱室のエリアを全面的に使え、ターンテーブル方式に比べて被加熱物を多く載置することができる。
【００１０】
また加熱室底部の清掃性という点から評価すると、加熱室底部に回転用の小径の穴が必要である従来のターンテーブル方式に比べ、小径の穴が必要でない磁気結合によるターンテーブル方式やスタラー方式及び回転アンテナ方式の方が清掃が容易である。
【００１１】
以上より最近、加熱効率の向上、加熱室内の有効利用、清掃の容易さからアンテナ回転方式が一般家庭においても見直されている。
【００１２】
そして家庭用の電子レンジには、機能の複合化としてオーブン機能やグリル機能、即ち被加熱物に焦げ目を付ける為にヒータを設けるモデルがある。図１７にヒータ付き回転アンテナ方式を採用した電子レンジの側面から見た縦断面図を示す。加熱室天面外部には平面ヒータ４１２を配置し加熱室底部の回転アンテナ４０５の外周部にはシーズヒータ等の電熱ヒータ４１３を配置している。
【００１３】
但し、この方式では被加熱物を移動させる手段を持っていない為、載置台４０７上の被加熱物は静止しており、微妙な加熱均一性が要求される茶碗蒸等の卵料理の仕上がり具合の低下をもたらしている。
【００１４】
そこで加熱均一性を向上させる為、シーズヒータを用いた高周波加熱調理器において、加熱室底部に配置された回転アンテナに一方の磁気結合手段を設け、通常のアンテナ給電の場合はそのまま高周波加熱を行うが、被加熱物を回転移動させる必要がある場合は加熱室に固定された載置台上にローラで保持されたプレートに他方の磁気結合手段を設け、回転アンテナの回転に応じてプレートを回転させることで被加熱物を回転させるようにした高周波加熱調理器がある。
【００１５】
しかし、この高周波加熱調理器はグリル運転等被加熱物に焦げ目を付ける加熱時は高周波加熱を停止させるとともに、回転アンテナも停止した状態とした上で下ヒータを動作させ、被加熱物を加熱するようになっている。
【００１６】
この為回転アンテナ上に配置される第１の磁石はグリル運転時に下ヒータが動作する時は高温にさらされることになる。特に回転アンテナが停止したときの回転アンテナ上の磁石の位置が下ヒータに近い場合、その磁石が局部的に高温にさらされることになる。一般に磁石は高温度に於いて非可逆の減磁特性を示す為、磁石が減磁するとプレートとの磁気結合が低下しターンテーブルの回転不良を引き起こすことになる。
【００１７】
【発明が解決しようとする課題】
そこで本発明は、上記の問題点に鑑みてなされたものであり、回転アンテナに配置される第１の磁石に対する下ヒータによる熱の影響を低減させ、回転アンテナとプレートとの安定した磁気結合をもたらし、プレートの安定した回転を行うことのできる高周波加熱装置を提供することを目的とするものである。
【００１８】
【課題を解決するための手段】
上記目的を達成するために本発明は、ヒータ動作時に回転アンテナを回転させる。またヒータ加熱停止後もタイマーによる所定時間計時後もしくは温度検知手段による所定温度以下を検知するまで回転アンテナを回転させる。
【００１９】
この動作により回転アンテナ上に配置された磁石が下ヒータから受ける温度を均一にし、局部的に高温にならず、減磁特性を防止できる。
【００２０】
また本発明は、ヒータ加熱停止後、加熱室の扉をあけた場合に回転アンテナを一時停止させ、扉を閉めた後再度回転アンテナを回転させる制御を行う。またそれに加えて、ターンテーブルを使用しない場合は、扉を開けた状態でも回転アンテナを停止させない制御を行う。
【００２１】
この制御によると、扉を開け被加熱物を取り出す場合も、被加熱物が回転せず、被加熱物の搬出を安全かつ容易に行える。
【００２２】
【発明の実施の形態】
以下に、本発明の実施形態について図面を参照しながら詳述する。まず、電子レンジの構成について図１〜図３を参照しながら説明する。図１に外観斜視図を示す。前面には扉１５及び操作パネル１４等が設けられている。
【００２３】
図２は正面から見た縦断面図、図３はプレートを使用しない場合の正面から見た縦断面図を示す。この電子レンジはまず、被加熱物１を加熱する加熱室２と、高周波の電磁波を発生する高周波発生装置３と、高周波発生装置３が発生する高周波の電磁波を導く為の導波管４と、導波管４内の高周波の電磁波を加熱室２に導く為の受信部５１と放射部５２で構成される回転アンテナ５と、回転アンテナ５を回転駆動する為のモータ６と、回転アンテナ５近傍直上に配置された誘電体で構成された載置台７とを備えている。
【００２４】
回転アンテナ５に配置された複数の第１の磁石８と、載置台７に載置されるローラ９１付きのプレート９の下面に取り付けられた第２の磁石１０とが磁気結合することで、回転アンテナ５の回転に対応してプレート９が回転する。回転アンテナ５の外周部には図４に示すようにシーズヒータで構成される下ヒータ１３が配置されている。尚、図４において、８ａ、８ｂ、８ｃは回転アンテナ５上に１２０°間隔で配置された磁石であり、５４、５５は回転アンテナ５に形成されたスリットである。
【００２５】
通常の回転アンテナ方式で高周波加熱する時には、図３で示す様にプレート９を取り除き、載置台７上に直かに被加熱物を載置して高周波加熱を行う。この場合、加熱室内のスペースを有効に使え、従来のアンテナ給電方式の特徴が生かされる。
【００２６】
一方被加熱物１を回転移動させたい場合は図２に示す様にプレート９上に略円形のターンテーブル１１を載置し、このターンテーブル１１上に被加熱物を載置し上述した第１、第２の磁石の結合を介して回転アンテナ５の回転をプレート９に伝達して回転運動させる。
【００２７】
またグリル運転等被加熱物１に焦げ目を付ける加熱時は下ヒータ１３を動作させ、被加熱物を加熱する。このとき、回転アンテナ上の磁石８ａ、８ｂ、８ｃを下ヒータ１３が集中的に加熱しないように、回転アンテナ５を回転する。これに伴い第１、第２磁石の磁気結合を介してプレート９も回転する。
【００２８】
このように下ヒータ１３の動作時に回転アンテナ５を回転させて磁石８ａ、８ｂ、８ｃを集中加熱しないようにした理由を図５を参照して説明すると、まずこの図５は図４の位置関係で回転アンテナ５を回転しながら加熱した時の下ヒータ１３による加熱開始から終了後、及び放置期間の各磁石の温度変化特性を示す。もちろん停止位置は任意の為この特性は一例である。
【００２９】
この停止状態で下ヒータ１３が動作すると各磁石は下ヒータ１３の発熱により温度が上昇する。ここで磁石８ａは下ヒータに最も近接しており磁石８ｂや磁石８ｃに比べて温度上昇の度合いが大きい。磁石は温度が高温になるとその磁力が低減し更には常温に戻した時に磁力が復帰しない場合もあり、上昇温度の低減は重要である。そこで本実施形態のように回転アンテナ５を下ヒータ１３の動作時も回転することで特定の位置の磁石の温度上昇、即ち局部加熱を防止し複数の磁石の温度上昇の平準化が図れる。
【００３０】
図６に、本実施形態において、電子レンジの駆動を行なう回路の一例を示す。本回路は、高周波加熱時には高周波発生装置３と回転アンテナ５を動作させ、ヒータ加熱時には、高周波発生装置３を停止した状態で上下の各ヒータ１２、１３と回転アンテナ５を動作させるようになっている。
【００３１】
同図に於いて、商用交流電源を受けるプラグ７８の出力線Ｌ１に、安全スイッチ７６と第１リレー６１によって開閉される第１リレースイッチＳＷ１、高周波駆動用のトランスＴの１次コイル７９、第７リレー６７によって開閉される第７リレースイッチＳＷ７が順次直列に接続されており、そのトランスＴの１次コイル７９と第７リレースイッチＳＷ７と並列に、いくつかのリレースイッチと、それらのリレースイッチによって駆動される負荷が接続されている。
【００３２】
それらのリレーと負荷の対は、第２リレー６２によって開閉される第２リレースイッチＳＷ２と上ヒータ１２、第３リレー６３によって開閉される第３リレースイッチＳＷ３と下ヒータ１３、第４リレー６４によって開閉される第４リレースイッチＳＷ４と回転アンテナを駆動するアンテナモータ６、第５リレー６５によって開閉される第５リレースイッチＳＷ５と高周波駆動電源７１を冷却するファンモータ６９、第６リレー６６によって開閉される第６リレースイッチＳＷ６と庫内用照明のオーブンランプ７０である。
【００３３】
尚、第１リレー６１〜第７リレー６７は制御部７７によって駆動制御されるが、図では、その制御線は省略している。制御部７７はドアスイッチ７２やオーブンサーミスタ７３にも接続されていて、これらのドアスイッチ７２、オーブンサーミスタ７３の情報を入力する。
【００３４】
また制御部７７は表示部７５、キー操作部６０にも接続され、表示部７５を制御したり、キー操作部６０からの情報を入力する。７４はマグネトロンである。
【００３５】
次に、動作について説明する。まずキー操作部６０により加熱の種類である高周波加熱か上下ヒータを使用するヒータ加熱かの情報が入力されるとともに、加熱時間等の条件が設定され、加熱のスタートが指示される。高周波加熱時には、第１リレースイッチＳＷ１、第４リレースイッチＳＷ４、第５リレースイッチＳＷ５、第６リレースイッチＳＷ６、第７リレースイッチＳＷ７がＯＮする。第１リレースイッチＳＷ１及び第７リレースイッチＳＷ７のＯＮによってトランスＴの１次コイル７９に電流が流れ、高周波駆動電源７１が動作する。これによって、マグネトロン７４がＯＮして高周波の電磁波を発生する。一方、第４リレースイッチＳＷ４のＯＮによってアンテナモータ６が動作し、それによって回転アンテナ５が回転する。第５リレースイッチＳＷ５、第６リレースイッチＳＷ６のＯＮによって、高周波駆動電源を冷却するファンモータ６９が動作し、庫内用照明であるオーブンランプ７０が点灯する。このとき、第２リレースイッチＳＷ２及び第３リレースイッチＳＷ３はＯＦＦしているので、上ヒータ１２、下ヒータ１３は不作動となっており、これらのヒータによる加熱はない。
【００３６】
次に、ヒータ加熱時は、第１リレースイッチＳＷ１、第４リレースイッチＳＷ４、第６リレースイッチＳＷ６の他に第２リレースイッチＳＷ２、第３リレースイッチＳＷ３がＯＮとなって、上ヒータ１２、下ヒータ１３による加熱が行われる。このとき、第４リレースイッチＳＷ４もＯＮしているので、回転アンテナ５が回転する。
【００３７】
このため上述したように、回転アンテナ５上に取り付けられた磁石８は、下ヒータ１３より集中加熱されないので、磁石８の減磁が回避される。尚、第７リレースイッチＳＷ７はＯＦＦとなっていて、トランスＴの１次コイル７９には電流が流れないので、高周波駆動電源７１は不作動であり、従ってマグネトロン７４も動作しない。
【００３８】
次に、制御部７７による制御の手順を図７〜図１０に示すフローチャートに従って説明する。まず加熱時のフローを図７で説明する。図７に於いて、制御部７７はまず、ステップＳ０１０に於いて、キー操作部６０からの入力に基づいて、加熱手段としてヒータ加熱か高周波加熱のいずれかを設定する。続いてステップＳ０２０で、加熱時間Ｔ０を設定する。しかる後、ステップＳ０３０で加熱をスタートさせる。このスタートに伴ない、ステップＳ０４０で加熱タイマーをリセットする。この加熱タイマーは、制御部７７に含まれている。次のステップＳ０５０では、第１リレースイッチＳＷ１をＯＮし各負荷を商用交流電源を受けるプラグ７８の出力線Ｌ１に接続させ、第４リレースイッチＳＷ４をＯＮし回転アンテナ５を回転させ、第６リレースイッチＳＷ６をＯＮし庫内照明用のオーブンランプ７０を点灯させる。次に、ステップ０６０に進み、前記ステップＳ０１０で設定された加熱手段が高周波加熱か否かを判定し、高周波加熱であれば、ステップＳ０７１に進んで第５リレースイッチＳＷ５をＯＮし高周波駆動電源７１を冷却するファンモータ６９を駆動させ、第７リレースイッチＳＷ７をＯＮしトランスＴの１次コイル７９に電流を流し、高周波駆動電源７１を動作させ高周波の電磁波を発生させる。高周波加熱でなければ、ステップＳ０７２へ進んで第２リレースイッチＳＷ２、第３リレースイッチＳＷ３をＯＮし、上ヒータ１２、下ヒータ１３を駆動させる。
【００３９】
次に、ステップＳ０８０で加熱タイマーを動作させてカウントアップを行ない、ステップＳ０９０でそのカウント値ＴＣが上記ステップＳ０２０で設定した所定値Ｔ０に達したか否かを判定し、達していなければステップＳ０８０へ戻る。達していれば、ステップＳ１００へ進み、第１リレースイッチＳＷ１、第２リレースイッチＳＷ２、第３リレースイッチＳＷ３、第５リレースイッチＳＷ５、第６リレースイッチＳＷ６、第７リレースイッチＳＷ７をＯＦＦし、回転アンテナ５以外の負荷を停止させ、加熱を終了する。次に、ステップＳ１０５で加熱手段が高周波加熱か否かを判定し、高周波加熱であればステップＳ１０６で第４リレースイッチＳＷ４をＯＦＦし回転アンテナ５を停止させ、加熱時のフローを終了する。
【００４０】
尚、ステップＳ１０５で高周波加熱でないと判定した後の制御については、いくつかの実施形態がある。そのうち、図８は、第１実施形態である加熱後における回転アンテナ５の回転をタイマーを使って制御するフローであり、図９は、第２実施形態である加熱後における回転アンテナ５の回転を温度検知手段を使って制御するフローであり、また図１０は、第３実施形態である加熱後における回転アンテナ５の回転をタイマーを使って制御するフローであるが、ターンテーブル１１を使用する場合（即ち、回転アンテナ５に配置した磁石と載置台上に載置したプレート９との磁気結合により回転するプレート９上のターンテーブル１１で被加熱物を加熱する場合）と使用しない場合（即ち、プレート９を使用せず、載置台に直に被加熱物を載置して加熱する場合）に分けて、回転アンテナ５の回転制御を行うフローである。以下、第１実施形態、第２実施形態、第３実施形態を図８、図９、図１０のフローで順次説明する。
【００４１】
まず第１実施形態を図８を参照して説明する。前記図７のステップＳ１０５で加熱手段が高周波加熱でない場合（即ち、ヒータ加熱の場合）は、図８のステップＳ１１０へ進む。ここで回転し続けている回転アンテナ５の所定の停止時間Ｔ１を設定し、次のステップＳ１２０で停止タイマーのリセットを行い、ステップＳ１３０へ進み、停止タイマーのカウントアップを行う。ここで所定の停止時間Ｔ１は予め定めた固定時間であっても良いが、設定された加熱時間Ｔ０の関数や実際の加熱時間や下ヒータの実動作時間に応じた関数であっても良い。即ち設定された加熱時間Ｔ０等を関数にすることにより短時間の加熱時は加熱終了後の停止時間を短くすることが出来、不要な電力消費を防止できる。設定された加熱時間Ｔ０を関数にした場合の回転アンテナ停止時間Ｔ１との関係を図１１に示す。次に、ステップＳ１４０では、扉１５が開いているか否かを判定し、開いていれば、タイマーのタイムアップに拘わらずステップＳ１５０で第４リレースイッチＳＷ４をＯＦＦし回転アンテナ５の回転を停止させる。そしてステップＳ１４０に戻り、再度扉１５が開いているかどうかの判定を行い、扉１５が開いていると判定する限りは、ステップＳ１４０、Ｓ１５０の処理を繰り返す。その後扉１５が開いていないと判定すると、ステップＳ１６０へ進み、第４リレースイッチＳＷ４をＯＮし回転アンテナ５を回転させる。
【００４２】
次に、ステップＳ１７０で、停止タイマーのカウント値が、前記ステップＳ１１０で設定した所定値Ｔ１に達しているか否かを判定する。達していれば、ステップＳ１８０に進み、第４リレースイッチＳＷ４をＯＦＦし回転アンテナ５の回転を停止させ、加熱後のフローを終了する。達していなければ、ステップＳ１３０に戻り、ステップＳ１３０からステップＳ１７０までの処理を繰り返す。
【００４３】
次に第２実施形態を図９を参照して説明する。前記図７のステップＳ１０５で、加熱手段が高周波加熱でない場合（即ち、ヒータ加熱の場合）は、図９のステップＳ２１０へ進む。ここでアンテナ停止温度Ｓ１を設定し、次のステップＳ２２０で庫内温度ＴＳの検出を行い、ステップＳ２３０へ進む。ここで扉１５が開いているか否かを判定し、開いていれば、ステップＳ２４０で第４リレースイッチＳＷ４をＯＦＦし回転アンテナ５の回転を停止させる。そしてステップＳ２３０に戻り、再度扉１５が開いているかどうかの判定を行い、扉１５が開いていると判定する限りは、ステップＳ２３０、Ｓ２４０の処理を繰り返す。扉１５が開いていないと判定すると、ステップＳ２５０へ進み、第４リレースイッチＳＷ４をＯＮし回転アンテナ５を回転させる。
【００４４】
次に、ステップＳ２６０で、庫内温度ＴＳが、前記ステップＳ２１０で設定した所定値Ｓ１以下であるか否かを判定する。以下であれば、ステップＳ２７０に進み、第４リレースイッチＳＷ４をＯＦＦし回転アンテナ５の回転を停止させ、加熱後のフローを終了する。達していなければ、ステップＳ２２０に戻り、ステップＳ２２０からステップＳ２６０までの処理を繰り返す。
【００４５】
最後に第３実施形態を図１０を参照して説明する。前記図７のステップＳ１０５で、加熱手段が高周波加熱でない場合（即ち、ヒータ加熱の場合）は、図１０のステップＳ３１０へ進む。ここでアンテナ停止時間Ｔ１を設定し、次のステップＳ３２０で停止タイマーのリセットを行い、ステップＳ３３０に進み、停止タイマーのカウントアップを行う。次に、ステップＳ３４０で、扉１５が開いているか否かを判定し、開いていれば、次のステップＳ３４１に進み、ターンテーブル１１を使用しているか否かを判定する。ターンテーブル１１を使用していれば、タイマーのタイムアップに拘わらずステップＳ３５０で第４リレースイッチＳＷ４をＯＦＦし回転アンテナ５の回転を停止させる。そしてステップＳ３４０に戻り、再度扉１５が開いているかどうかの判定を行い、扉１５が開いていて、かつターンテーブル１１使用していると判定する限りは、ステップＳ３４０、Ｓ３４１、Ｓ３５０の処理を繰り返す。一方、ステップＳ３４１でターンテーブル１１使用していないと判定するとステップＳ３６０へ進み、第４リレースイッチＳＷ４をＯＮし回転アンテナ５を回転させる。またステップＳ３４０で扉１５が開いていないと判定した場合も同様に、ステップＳ３６０へ進み、第４リレースイッチＳＷ４をＯＮし回転アンテナ５を回転させる。
【００４６】
次に、ステップＳ３７０で、停止タイマーのカウント値が、前記ステップＳ３１０で設定した所定値Ｔ１に達しているか否かを判定する。達していれば、ステップＳ３８０に進み、第４リレースイッチＳＷ４をＯＦＦし回転アンテナ５の回転を停止させ、加熱後のフローを終了する。達していなければ、ステップＳ３３０に戻り、ステップＳ３３０からステップＳ３７０までの処理を繰り返す。
【００４７】
以上の説明の内、加熱停止後の動作の説明は加熱終了後として説明したが、もちろん加熱中の一時停止、例えばキーによる一時停止や、扉１５開による停止でも停止後の制御は同様に行ってもよい。また、ヒータ加熱時に回転アンテナを回転する制御は、高周波加熱とヒータ加熱を交互に繰り返したり、同時に加熱する場合に行ってもよい。
【００４８】
【発明の効果】
本発明によれば、ヒータ加熱時において、高周波放射用の回転アンテナを回転させるようにしているので、ヒータ加熱時に回転アンテナ上に配設された複数の磁石を、下ヒータによる局部的な加熱から回避させることができるので、それらの磁石に減磁が発生せず、従ってプレートを回転させるときに、回転アンテナとプレートとの良好な磁気結合を保ち　、プレートの安定した回転を得ることができる。
【００４９】
またヒータ加熱停止後においても、回転アンテナの回転時間を計時するタイマーを設け、前記タイマーが所定時間計時するまでは前記回転アンテナの回転動作を継続させるので、下ヒータが余熱で高温を維持していても、回転アンテナ上に配設された、プレートとの磁気結合用の磁石を、下ヒータからの局部的な加熱による減磁から回避させ、回転アンテナとプレートとの良好な磁気結合を保ち、プレートの安定した回転を得ることができる。また、所定時間計時後回転アンテナを停止させることで不要な電力の消費を防止できる。
【００５０】
同じくヒータ加熱停止後においても、加熱室の温度を検出する温度検出手段を設け、前記温度検出手段で検出された温度が所定温度に下がるまでは前記回転アンテナの回転動作を継続させることで、下ヒータが余熱で高温を維持していても、回転アンテナ上に配置された、プレートとの磁気結合用の磁石を、下ヒータからの局部的な加熱による減磁から回避させ、回転アンテナとプレートとの良好な磁気結合を保ち、プレートの安定した回転を得ることができる。また、加熱室内温度が所定温度以下に下がった時は回転アンテナの回転を停止させることで不要な電力の消費を防止できる。
【００５１】
また前記加熱室の扉の開閉状態を検出する手段を設け、ヒータ加熱停止後開状態を検出した時は、前記回転アンテナの回転を停止させることで、プレートを用いて被加熱物を回転させる場合でも、被加熱物の取り出しが容易にかつ安全に行える。
【００５２】
さらに前記加熱室の扉の開閉状態を検出する手段を設け、ヒータ加熱停止後開状態を検出した時でも、前記プレートを使用しない場合は、前記回転アンテナの回転を継続させることで、磁石の局部的な加熱をさらに防止出来る。
【図面の簡単な説明】
【図１】本発明の電子レンジの外観斜視図。
【図２】図１のプレートを使用する場合の縦断面図。
【図３】図１のプレートを使用しない場合の縦断面図。
【図４】本発明の電子レンジの水平断面図。
【図５】本発明の電子レンジの回転アンテナ上に配置された各磁石の温度変化特性一例を示す図。
【図６】本発明の電子レンジにおける制御ブロック図。
【図７】本発明の制御ブロックによる加熱時フロー図。
【図８】本発明の制御ブロックによる第１実施形態である加熱後フロー図。
【図９】本発明の制御ブロックによる第２実施形態である加熱後フロー図。
【図１０】本発明の制御ブロックによる第３実施形態である加熱後フロー図。
【図１１】本発明の制御ブロックによる設定加熱時間に対する回転アンテナ停止時間の関係の一例を示す図。
【図１２】従来のターンテーブル方式を採用した電子レンジの縦断面図。
【図１３】従来のターンテーブル方式を採用した電子レンジの外観斜視図。
【図１４】従来のスタラー方式を採用した電子レンジの縦断面図。
【図１５】従来のスタラー方式を採用した電子レンジの外観斜視図。
【図１６】従来の回転アンテナ方式を採用した電子レンジの縦断面図。
【図１７】従来のヒータを付加した回転アンテナ方式を採用した電子レンジの縦断面図。
【符号の説明】
１　被加熱物
２　加熱庫
３　高周波発生器
４　導波管
５　回転アンテナ
６　モータ
７　載置台
８　第１の磁石
９　プレート
１０　第２の磁石
１１　ターンテーブル
１２　上ヒータ
１３　下ヒータ
１４　操作パネル
１５　扉
５１　回転アンテナ受信部
５２　回転アンテナ発信部
９１　ローラ
【図１】
2004071229.tif 000003
【図２】
2004071229.tif 000004
【図３】
2004071229.tif 000005
【図４】
2004071229.tif 000006
【図５】
2004071229.tif 000007
【図６】
2004071229.tif 000008
【図７】
2004071229.tif 000009
【図８】
2004071229.tif 000010
【図９】
2004071229.tif 000011
【図１０】
2004071229.tif 000012
【図１１】
2004071229.tif 000013
【図１２】
2004071229.tif 000014
【図１３】
2004071229.tif 000015
【図１４】
2004071229.tif 000016
【図１５】
2004071229.tif 000017
【図１６】
2004071229.tif 000018
【図１７】
2004071229.tif 000019